(57)【特許請求の範囲】
【請求項１】
不透明な袋本体の上部充填口に透明な材質で作られた密封用フィルムを突き合わせるようにして継ぎ足し、この突き合わせ目においてその内側に連結テープを挿入してヒートシールすることにより袋本体と密封用フィルムを連結し、更にこの密封用フィルムの両端断面を被うようにしてカバーテープをヒートシールすることにより、袋本体及び密封用フィルムの断面が直接充填物に触れないようにする不透明な袋の密封方法。
【請求項２】
連結テープを外側に位置させ、カバーテープを突き合わせ目の内側に位置させてヒートシールを行う請求項１記載の不透明な袋の密封方法。
【請求項３】
不透明な袋本体の上部充填口に透明な材質で造られた密封用フィルムを一部重ねるようにして継ぎ足し、この継ぎ足しにより生じた密封用フィルム又は袋本体フィルムの断面部分にカバーテープをヒートシールすることにより、密封用フィルム又は袋本体フィルムの断面が直接充填物に触れないようにする不透明な袋の密封方法。
【発明の詳細な説明】
【０００１】
【産業上の利用分野】
本発明は、アルミニウムフィルム等を積層して成る不透明な袋の充填口を密封するための方法に関するものである。
【０００２】
【従来の技術】
レトルト食品等の分野においてはアルミニュウムフィルムを積層したり、或いは紫外線カット等の目的から、袋が不透明なフィルムで製作されたものがある。このような袋の場合、その充填口をヒートシール方法により密封するときに、そのヒートシール部分に夾雑物があると、ヒートシール不良等の問題が発生することから、後でこのヒートシールの良、不良を耐圧検査等を行うことにより判定している。
【０００３】
しかし、このような判定を充填後に行うことは、手数とコストがかかり、良策ではない。そこで、本発明者は、ヒートシール部分に夾雑物があった場合、目視で確認が出来るように、袋本体の充填口に透明な密封用フィルムを継ぎ足し、この透明な密封用フィルムの部分においてヒートシールを行うようにすると、夾雑物がひと目で判り、いちいち耐圧検査等を行わないで済むという袋の密封方法を特願平７−３１８１１４号において提案している。
【０００４】
【発明が解決しようとする課題】
しかし、上記先願の発明においては、袋本体フィルム或いは密封用フィルムの積層部分に接着剤を使用したり、印刷が断面に露出している場合に、この断面が直接食品に触れて、食品衛生上問題が発生することがある。
本発明の目的は、袋本体の充填口にヒートシール用の密封用フィルムを継ぎ足してこれをヒートシールすることにより充填口を密封した袋において、食品衛生上の問題を惹起しない密封方法を提供することである。
【０００５】
【課題を解決するための手段】
上記目的を達成するために提案する本発明に係る密封方法は次のとおりである。
１．不透明な袋本体の上部充填口に透明な材質で作られた密封用フィルムを突き合わせるようにして継ぎ足し、この突き合わせ目においてその内側に連結テープを挿入してヒートシールすることにより袋本体と密封用フィルムを連結し、更にこの密封用フィルムの両端断面を被うようにしてカバーテープをヒートシールすることにより、袋本体及び密封用フィルムの断面が直接充填物に触れないようにする不透明な袋の密封方法。
【０００６】
２．連結テープを外側に位置させ、カバーテープを突き合わせ目の内側に位置させてヒートシールを行う請求項１記載の不透明な袋の密封方法。
【０００７】
３．不透明な袋本体の上部充填口に透明な材質で造られた密封用フィルムを一部重ねるようにして継ぎ足し、この継ぎ足しにより生じた密封用フィルム又は袋本体フィルムの断面部分にカバーテープをヒートシールすることにより、密封用フィルム又は袋本体フィルムの断面が直接充填物に触れないようにする不透明な袋の密封方法。
【０００８】
【作用】
袋本体フィルムに対する密封用フィルムの継ぎ足しと、この継ぎ足し目上にカバーテープを挿入してヒートシールする工程は、フィルムの段階で行われる。袋は、両サイドと底シールが行われた三方シール方法により製袋される。内容物は密封用フィルムが継ぎ足された充填口から充填され、充填口の密封は、密封用フィルムの部分でのヒートシール法により行われる。
密封された内容物は、袋本体及び密封用フィルムの継ぎ足し部分の断面がカバーテープにより被われているため、直接この断面に触れることはない。又、この断面から、接着剤或いは印刷インキ等が袋内に溶出してくることもない。
【０００９】
【発明の実施の形態】
本発明が適用される袋の構造は、アルミニュウムフィルム、ナイロンフィルム等のようなヒートシール性のないフィルムを積層するために接着剤が用いられた積層フィルム製の袋、或いは積層面に印刷が施された袋等である。
充填口に継ぎ足すための密封用フィルムは、透明なフィルムとし、このフィルムは、袋本体の正面側又は裏面側又は双方に継ぎ足し、ここをヒートシールする。
【００１０】
継ぎ足し法は、突き合わせ、一部重ね合わせにより行われる。
カバーテープは、継ぎ足し部分において、フィルムの断面が露出しないように断面部分を外から被うようにしてヒートシールされる。勿論、このカバーテープは単層又は複層であっても接着剤が使用されていないことが条件である。
【００１１】
【実施例】
図１は、袋の充填口に透明な密封用フィルムが継ぎ足されたものの斜視図である。１は袋本体、２は充填口、３はこの袋本体１の充填口２に継ぎ足された透明な密封用フィルムであって、この密封用フィルム３と袋本体１の継ぎは、図２に示すように突き合わせ、この突き合わせ目ｐの内側に連結テープ４をヒートシールすることにより行われている。
５は上記連結テープ４の両端４ａを被うようにヒートシールされたカバーテープである。
【００１２】
６は内容物を充填後、密封用フィルム３をヒートシールした部分である。
図３は、フィルムの積層構成例であって、袋本体１は外から順にＰＥＴ／Ｎｙ／Ａｌ／Ｃｐｐ、連結テープ４はヒートシール面から順にＣｐｐ／Ｎｙ／ＰＥＴ／Ｃｐｐ、カバーテープ５はＣｐｐである。
【００１３】
【実施例２】
本実施例は、図４に示すように、連結テープ４を突き合わせ目ｐの外側に位置させ、カバーテープ５を突き合わせ目ｐの内側に被せるようにしてヒートシールした例である。
【００１４】
【実施例３】
本実施例は、図５に示すように、袋本体１の上縁１ａと密封用フィルム３の下縁３ａ側を一部重ね合わせてヒートシールを行い、この重ね合わせ部分のフィルムの断面を袋の内側においてカバーテープ５により被うようにヒートシールした例である。
【００１５】
【発明の効果】
本発明は以上のように、袋本体の充填口に夾雑物目視用に透明な密封用フィルムを継ぎ足した袋において、継ぎ足し部分のフィルムの断面をカバーフィルムで被い、断面が直接食品に触れないようにしたので、食品衛生上極めて有効である。又、継ぎ目の強度アップにもなる。
【図面の簡単な説明】
【図１】本発明が実施された袋の斜視図。
【図２】突き合わせ法により袋本体に密封用フィルムを継ぎ足し、この内側に連結テープを挿入し、この外にカバーテープをヒートシールした状態の説明図。
【図３】各フィルム構成の説明図。
【図４】突き合わせ目の外側に連結テープを位置させ、カバーテープを内側において突き合わせ目にヒートシールした状態の説明図。
【図５】袋本体と密封用フィルムを一部重ね合わせて継ぎ足した部分にカバーテープをヒートシールした状態の説明図。
【符号の説明】
１  袋本体
２  充填口
３  密封用フィルム
４  連結テープ
５  カバーテープ
６  ヒートシール部
【図１】
0003899167.tif 000002
【図２】
0003899167.tif 000003
【図３】
0003899167.tif 000004
【図４】
0003899167.tif 000005
【図５】
0003899167.tif 000006